(57)【要約】      （修正有）【課題】簡易な形態で、有効に電磁波をシールドすることができる折り畳み式携帯電話機用ケースを提供する。【解決手段】折り畳み式携帯電話機用ケース１０は、折り畳んだ携帯電話機をすっぽり収容できる程度の大きさの、一端部に開口Ｂを有する袋状に形成される。ケース１０は、基材１２と、基材１２の内表面全面に貼設等される電磁波シールドシート１４の２層を有する。電磁波シールドシート１４の材料は、導電性金属として銀を含むものか、または、銅およびニッケルを含むものを用いる。受信時、携帯電話機Ａをケース１０から取り出し、第二の筐体Ａ２を開いたうえで受信操作を行い、通話可能状態として、第二の筐体Ａ２をケース１０に収めた後、ケース１０から露出された第一の筐体Ａ１を耳に当てて通話する。【選択図】図１
0003108227.tif 000002
【実用新案登録請求の範囲】
【請求項１】
少なくとも通信手段と送話口を有する第一の筐体と、該第一の筐体に対して開閉可能に支承され、少なくともディスプレイおよび受話口を有する第二の筐体とを備える折り畳み式携帯電話機を収容可能な折り畳み式携帯電話機用ケースであって、
該第一の筐体の長さ寸法に略等しい長さ寸法と、該第一の筐体の幅寸法に略等しい幅寸法と、該第一の筐体および第二の筐体の厚み寸法を合わせた寸法に略等しい厚み寸法を有し、長さ方向の一端部が開口された袋状に形成され、
基材と、実質的に該基材の内表面全面に設けられ、銀を含む電磁波シールドシートまたは銅およびニッケルを含む電磁波シールドシートを有することを特徴とする折り畳み式携帯電話機用ケース。
【請求項２】
前記一端部の開口を絞る絞り手段を有することを特徴とする請求項１記載の折り畳み式携帯電話機用ケース。
【請求項３】
収容される前記第一の筐体の前記送話口に対応する箇所に開口が形成されてなることを特徴とする請求項１または２記載の折り畳み式携帯電話機用ケース。
【考案の詳細な説明】
【技術分野】
【０００１】
本考案は、電磁波の放射を軽減するために用いる折り畳み式携帯電話機用ケースに関するものである。
【背景技術】
【０００２】
携帯電話機は、主に送受信時に高周波の電磁波を放射する。
この高周波電磁波は、医療機器の誤作動を招き、あるいは心臓ペースメーカーの故障を来たす等のおそれがあることが問題となっている。
また、高周波電磁波は、人体の細胞や免疫システムに害を及ぼす危険性も指摘されており、この意味で、脳に近いところで携帯電話機を使用する使用者への影響が懸念される。
【０００３】
元来、電磁波がノイズとして回路への悪影響を及ぼすことを避けるために、携帯電話機には電磁波シールド構造が設けられている。
しかしながら、携帯電話機の筐体から外部への電磁波の放射を防止するには至っていないのが実情である。
電磁波シールド構造をより強化することで電磁波の放射を軽減することは技術的には可能であるものの、それに要する費用の増加や携帯電話機の嵩だか化の問題等を避けることができないものと思われる。
【０００４】
これに対して、電磁波シールド機能を付与したケースに携帯電話機を収容する技術が種々提案されている（例えば、特許文献１〜４参照。）。
【０００５】
これらの技術は、電磁波シールド機能を確保することを前提としたうえで、送受信機能を阻害しないこと、携帯電話機の操作性を阻害しないこと、ケースの携行性を良好とすること等の観点から好ましいケースの形態を提案している点に特徴がある。
【特許文献１】特開実用新案登録第３０７０３３４号公報
【特許文献１】特開実用新案登録第３０８１３０３号公報
【特許文献１】特開実用新案登録第３０８８４２３号公報
【特許文献１】特開実用新案登録第３０９９３９３号公報
【考案の開示】
【考案が解決しようとする課題】
【０００６】
しかしながら、上記従来のケースは、総じて、構造が複雑であり、このため、ケースから携帯電話機を着脱し、あるいは携帯電話機を操作する際の取り扱いが煩雑となり、また、ケースを安価に得ることができない。
一方、携帯電話機から高周波の電磁波を発生するのは主に送受信時であり、その際、携帯電話機の筐体の全面から一律に同じ強度で電磁波が放射されるものではない。近年、携帯電話機は折り畳み型のものが主流となっているが、この観点から、有効な電磁波シールド方法を検討する余地がある。
【０００７】
本考案は、上記の課題に鑑みてなされたものであり、簡易な形態で、有効に電磁波をシールドすることができる折り畳み式携帯電話機用ケースを提供することを目的とする。
【課題を解決するための手段】
【０００８】
本考案に係る折り畳み式携帯電話機用ケースは、少なくとも通信手段と送話口を有する第一の筐体と、該第一の筐体に対して開閉可能に支承され、少なくともディスプレイおよび受話口を有する第二の筐体とを備える折り畳み式携帯電話機を収容可能な折り畳み式携帯電話機用ケースであって、
該第一の筐体の長さ寸法に略等しい長さ寸法と、該第一の筐体の幅寸法に略等しい幅寸法と、該第一の筐体および第二の筐体の厚み寸法を合わせた寸法に略等しい厚み寸法を有し、長さ方向の一端部が開口された袋状に形成され、
基材と、実質的に該基材の内表面全面に設けられ、銀を含む電磁波シールドシートまたは銅およびニッケルを含む電磁波シールドシートを有することを特徴とする。
【０００９】
また、本考案に係る折り畳み式携帯電話機用ケースは、前記一端部の開口を絞る絞り手段を有することを特徴とする。
【００１０】
また、本考案に係る折り畳み式携帯電話機用ケースは、収容される前記第一の筐体の前記送話口に対応する箇所に開口が形成されてなることを特徴とする。
【考案の効果】
【００１１】
本考案の折り畳み式携帯電話機用ケースは、通信手段と送話口を有する筐体の長さ寸法および幅寸法に略等しい長さ寸法および幅寸法と、折り畳んだときの全筐体の厚み寸法に略等しい厚み寸法を有し、長さ方向の一端部が開口された袋状に形成され、基材の内表面全面に電磁波シールドシートが設けられている。
このため、簡易な構造のケースに折り畳んだ帯電話機を容易に出し入れすることができ、また、送受信時には、電磁波の主要な発生源である通信手段と送話口を有する筐体のみをケース内に収容することで、特に携帯電話機の使用者に対する電磁波の照射を有効に軽減することができる。
【考案を実施するための最良の形態】
【００１２】
本考案の好適な実施の形態について、図を参照して説明する。
【００１３】
本考案の実施の形態に係る折り畳み式携帯電話機用ケースについて、図１〜図３を参照して説明する。
【００１４】
本考案の実施の形態に係る折り畳み式携帯電話機用ケース１０（以下、単にケースということがある。）は、折り畳んだ携帯電話機をすっぽり収容できる程度の大きさの、一端部に開口を有する袋状に形成される。すなわち、図２および図３に示す折り畳み式携帯電話機Ａの第一の筐体Ａ１の長さ寸法に略等しい長さ寸法Ｌと、同じく第一の筐体Ａ１の幅寸法に略等しい幅寸法Ｗと、第一の筐体Ａ１および第二の筐体Ａ２の厚み寸法を合わせた寸法に略等しい厚み寸法Ｄを有し、長さ方向の一端部が開口（図１中矢印Ｂで示す。）された袋状に形成される。このケース１０の大きさは、折り畳んだ携帯電話機がケースから簡単に抜け落ちない限度で折り畳んだ携帯電話機を容易に出し入れ可能な余裕のある寸法をいう（図２参照。）。この場合、ケース１０は、折り畳み式携帯電話機Ａの外形に倣って変形可能なものであってもよく、また、直方体状であってもよい。
【００１５】
ケース１０は、基材１２と、実質的に基材１２の内表面全面に貼設等される電磁波シールドシート１４の２層を有する。この場合、必要に応じて、基材１２と電磁波シールドシート１４の間に他の層を設けてもよく、あるいは、基材１２の内面に貼設等される電磁波シールドシート１４のさらに内面、すなわち最内面に他の層を設けてもよい。また、必要に応じて、基材１２の一部を露出した状態で電磁波シールドシート１４を設けてもよい。
【００１６】
基材１２の材料は特に限定するものではなく、例えば、天然皮革、合成皮革、合成樹脂、天然繊維織布、合成繊維織布等から適宜選択して用いることができる。合成樹脂を用いる場合、可撓性を有するシート状であってもよく、剛性を有する板状であってもよい。
基材１２の厚みその他も特に限定するものではない。
【００１７】
電磁波シールドシート１４の材料は、周知のものから適宜選択して用いることができるが、好ましくは、導電性金属として銀を含むものか、または、銅およびニッケルを含むものを用いる。
前者の場合、例えば銀被覆ポリエステル長繊維（三菱マテリアル株式会社製  シルファイバー（商標））を用いた織布やシート等を、また、後者の場合、例えば樹脂に銅およびニッケルを配合した積層シート（セーレン株式会社製  フォーム）等を好適に用いることができる。
これらの材料を用いた電磁波シールドシートは、他の材料を用いたものに比べてより大きな電磁波シールド効果を得ることができる。
電磁波シールドシート１４の厚みその他は、特に限定するものではない。
【００１８】
ここで、図３を参照して、折り畳み式携帯電話機Ａについて説明する。
折り畳み式携帯電話機Ａは、上記のように、第一の筐体Ａ１と、支持軸Ａ３を介して第一の筐体Ａ１に対して開閉可能に支承される第二の筐体Ａ２で構成される。
第一の筐体Ａ１は、その内部に通信手段を構成する回路等が設けられ（図示せず。）、さらに、その表面に送受信操作をするためのキー（図３中矢印Ａ４で示す。）等が設けられる。また、通常、第一の筐体Ａ１の下部、言い換えれば、支持軸Ａ３から遠い側に送話口Ａ５を有する。
第二の筐体Ａ２は、中央部にディスプレイＡ６が設けられ、ディスプレイＡ６の上部、言い換えれば、支持軸Ａ３から遠い側に受話口Ａ７を有する。
【００１９】
上記のように構成される折り畳み式携帯電話機Ａをケース１０から着脱して使用する方法について、受信の場合を例にとって説明する。
折り畳み式携帯電話機Ａを使用しないとき、すなわち、送受信を行わないときは、折り畳み式携帯電話機Ａの位置を特定するための微弱な電波の送受信に起因する微弱な電磁波が放射されるだけであり、かつ、通常、折り畳み式携帯電話機Ａは上下着衣のポケットやかばん等に収容され人体の頭部からは離れた位置にあるため、放射される電磁波の人体への実質的な影響は少ない。
このため、図２に示すように、折り畳み式携帯電話機Ａを折り畳んだ状態でケース１０に差し込んでおけば、電磁波の放射を防止する効果としては十分であるとともに、折り畳み式携帯電話機Ａをケース１０から容易に出し入れすることができる。
【００２０】
折り畳み式携帯電話機Ａが電波を受信したときには、折り畳み式携帯電話機Ａはケース１０内にあるため、電磁波の放射は十分に防止される。
【００２１】
受信を知らせる発音や発光を視聴して、折り畳み式携帯電話機Ａをケース１０から取り出し、第二の筐体Ａ２を開いたうえで受信操作を行い、通話可能状態とする。
そして、図３に示すように、第二の筐体Ａ２をケース１０に収めた後、ケース１０から露出された第一の筐体Ａ１を耳に当てて通話する。通話中は、第二の筐体Ａ２から放射される電磁波がケース１０で遮蔽されるため、人体への影響は大きく緩和される。
【００２２】
つぎに、本考案の実施の形態に係る折り畳み式携帯電話機用ケース１０の変形例について図４〜図６を参照して説明する。
【００２３】
第一の変形例のケース１０ａは、図４に示すように、ケース１０ａの開口Ｂを絞る絞り手段を有する。
この場合、絞り手段はいわゆる巾着のくくり紐状のものであり、開口Ｂに沿ってケース１０ａの一端部に複数のスリット１６を設け、スリット１６を挿通する紐１８を絞ることで開口Ｂの大きさを調整するものである。
折り畳み式携帯電話機Ａの第二の筐体Ａ２をケース１０ａに収めた後、ケース１０ａから露出される第一の筐体Ａ１を耳に当てて通話する際に（図３参照。）、紐１８を絞るという簡易な操作で、開口Ｂを通過して放射される電磁波を軽減することができる。
【００２４】
本考案において、開口Ｂを絞るとは上記のように開口Ｂの開口面積を小さくする意であり、したがって、絞り手段はこのような目的を達成するものを広く含む。
このような絞り手段として、図５に示す第二の変形例のケース１０ｂは、ケース１０ｂの幅方向両端部に面ファスナー２０を設けたものである。
これにより、ケース１０ｂは、第一の変形例のケース１０ａの場合と同様の効果を得ることができる。
【００２５】
第三の変形例のケース１０ｃは、図６に示すように、ケース１０ｃに収容される折り畳み式携帯電話機Ａの第一の筐体Ａ１の送話口Ａ５に対応する箇所に開口Ｃが形成されたものである。
これにより、送話をより明瞭に行うことができる。
【００２６】
以上説明した本考案の実施の形態は、折り畳み式携帯電話機用ケースについてのものであるが、折り畳み式であれば他の無線通信機器のケースにも適用できることは勿論である。
【図面の簡単な説明】
【００２７】
【図１】本考案の実施の形態に係る折り畳み式携帯電話機用ケースを示す図である。
【図２】図１の折り畳み式携帯電話機用ケースに折り畳んだ携帯電話機を収容した状態を示す図である。
【図３】図１の折り畳み式携帯電話機用ケースの通話中の使用状態を示す図である。
【図４】第一の変形例の折り畳み式携帯電話機用ケースを示す図である。
【図５】第二の変形例の折り畳み式携帯電話機用ケースを示す図である。
【図６】第三の変形例の折り畳み式携帯電話機用ケースを示す図である。
【符号の説明】
【００２８】
１０、１０ａ〜１０ｃ  折り畳み式携帯電話機用ケース
１２  基材
１４  電磁波シールドシート
１８  紐
２０  面ファスナー
Ｂ、Ｃ  開口
【図１】
0003108227.tif 000003
【図２】
0003108227.tif 000004
【図３】
0003108227.tif 000005
【図４】
0003108227.tif 000006
【図５】
0003108227.tif 000007
【図６】
0003108227.tif 000008